【事件の表示】
　平成　９年特許願第１１１４５５号「遠隔制御装置」拒絶査定に対する審判事件［平成１０年　３月　６日出願公開、特開平１０−　６３２７５］について、次のとおり審決する。
【結　論】
　本件審判の請求は、成り立たない。
【理　由】
I【手続きの経緯、本願発明】
　本願は、平成３年８月３０日に出願した特願平３−２２０４０３号の一部を平成９年４月２８日に新たな特許出願としたものであって、その請求項１に係る発明（以下「本願発明」という。）は、平成１１年７月３０日付けで補正された明細書及び図面の記載からみて、その特許請求の範囲の請求項１に記載された次のとおりのものである。
「【請求項１】択一的に選択され、再生される多数の音楽情報に対応する多数の曲目情報が格納された記憶手段と、
　上記多数の曲目情報を属性毎に分類して表示を行うように指定する属性指定手段と、
　上記属性指定手段によって指定された属性に従って上記記憶手段に記憶された多数の曲目情報を分類して、上記記憶手段から読み出し表示する表示手段と、
　上記表示手段に表示された複数の曲目情報から所望の曲目を選択する選択手段と、
　上記選択手段によって選択された曲目に対応する選曲データを、別体の再生装置にワイヤレス送信する送信手段と、
　を一体の筐体に収めたことを特徴とする
　遠隔制御装置。」
II【引用例】
　これに対して、原査定の拒絶の理由に引用された特開平３−１２０６８６号公報（以下「引用例」という。）には、「業務用カラオケ設備の選曲装置」（発明の名称）に関し、図面と共に次のとおりの記載がある。
１．「１．現有する多数のカラオケソフトに関する曲名（２６）、歌手名（２７）、種類、コード番号（２９）等のデータを記憶させた書替可能なメモリー（１）を備えた検索回路（２）に、ディスプレイ（３）とそのディスプレイ（３）に表示される複数のデータの一つを指定する検索用コントローラー（４）を接続してあり、上記検索回路（２）には、予め設定された複数の選曲モード（２８）をディスプレイ（３）に表示する第１画面発生手段（６）と、文字記号表（２２）をディスプレイ（３）に表示する第２画面発生手段（７）および、第１画面（２０）からコントローラー（４）により指定された選曲モード（２８）と第２画面（２１）からコントローラー（４）により文字入力された希望曲に関する選曲データとに基いてメモリー（１）から候補曲データを選び出してディスプレイ（３）に表示するデータ選出手段（８）を少なくとも備えていることを特徴とす業務用カラオケ設備の選曲装置」（特許請求の範囲第１項）
２．「ディスプレイ（３）に表示された希望曲のデータのうち、カラオケ設備（１７）のカラオケ装置本体（１２）への入力によって希望曲の演奏が行なわれるコード番号（２９）のデータが、希望曲の確認に伴なってカラオケ装置本体（１２）へ出力されるようにしてあることを特徴とする請求項１記載の業務用カラオケ設備の選曲装置」（特許請求の範囲第２項）
３．「本発明は、バー、スナック等に設置された業務用カラオケ設備を使用する際、用意されている多数のカラオケソフト中から希望の曲を選び出すために利用される新規な業務用カラオケ設備の選曲装置に関するものである。」（公報第１頁右下欄第１４行〜第１８行）
４．「本発明による選曲装置は、現有のカラオケソフトに関する曲名や歌手名あるいはコード番号等のデータを書替可能なメモリーに記憶させてあり、使用者がディスプレイの表示に従って曲名別や歌手名別等の選曲モードを指定すると共に、希望曲の選曲データとして曲名等の最初の一字以上を入力すれば、その選曲モードと選曲データとに基いてメモリーから候補曲を選出し、ディスプレイに候補曲のデータを表示するものである。
　又、ディスプレイに表示された候補曲の一つを指定して希望曲であることを確認すれば、そのコ一ド番号がカラオケ装置本体に出力されて希望曲が自動的に演奏されるものである。」（公報第２頁右下欄第２行〜第１４行）
５．「本発明装置は、スナック、バー等に設置された業務用カラオケ設備に付随して使用されるもので、現有するカラオケソフトに関するデータを記憶させたメモリー１を備えた検索回路２と、検索方法（選曲モード）や検索データを表示するディスプレイ３及び検索方法の指定等を行なう検索用コントローラー４で構成されている。メモリー１に記憶されるデータとしては、曲名、歌手名、１，２小節程度の唄い出し、デュエット曲やポピュラー曲あるいは軍歌等の種類、コード番号（オートチェンジャー番号）がある。検索回路２には、メモリー１の外に初期画面発生手段５と第１画面発生手段６、第２画面発生手段７、データ選出手段８、入出力制御手段９、名前入力画面発生手段１０を有する。初期画面発生手段５は入出力制御手段９を介してディスプレイ３に希３図（イ）に示ず初期画面１９を表示する。この初期画面１９はカラオケ設備１７に付設されている使用料徴収手段１６（コインカウンター又はカードシステム）にコイン又はプリベイドカードを入れると第３図（ロ）図示の第１画面２０に切替わる。この第１画面２０は第１画面発生部６から入出力制御手段９を介してディスプレイ３に予め設定されたいくつかの選曲モ−ドを表示するものである。この実施例では多数のカラオケソフトに関するデークを記憶したメモリー１から効率良くデータを選出する選曲モード２５として、曲名別、歌手名別、唄い出し別、デュエット曲、ポピュラー曲、軍歌が表示してある。又、コントローラー４は画面に表示された多数のデータの一つを指定するもので、検索回路２の入出力制御手段９と接続してあり、この実施例のものは画面中のカーソルを上下左右に移動させるカーソル移動キー４ａと確認キー４ｂとからなる。選曲モードの指定は、画面中の所望する選曲モード２５の箇所にカーソルを移動し、確認キー４ｂを押すことによってなされる。選曲モード２５として例えば曲名別を指定すれば、その旨をデータ選出手段８に伝達し第３図（ハ）図示の第２画面２１に切替わる。この第２画面２１は第２画面発生手段７から入出力制御手段９を介してディスプレイ３に表示されるもので、指定した選曲モード２５と「あ」から「ん」までの５０音表等の入力用文字記号表２２が表示される。そして、この表２２とコントローラー４で選曲データの入力を行なえば、データ選出手段８による検索が行なわれる。ここで、入力する選曲データとしては、曲名別、デュエット曲、軍歌モードなら曲名の最初の１文字以上、歌手名別モードなら歌手名の最初の１文字以上、唄い出し別モードなら歌詞の最初の１文字以上とする。データ選出手段８では指定された選曲モード２５と入力された選曲データとに基いてメモリー１の検索を行ない複数の候補曲の簡単なデータ、主として曲名２６、歌手名２７をディスプレイに検索結果画面２３として表示する。その画面２３中に希望曲が見出せなければ、コントローラー４の操作により次の候補曲データが検索結果次画面２３ｂとして表示される。希望曲が見つかりその曲をコントローラー４で指定すると、希望曲の詳細なデータ、即ち、曲名２６、歌手名２７、唄い出し２８、コード番号２９からなる希望曲データ画面２４が表示される。そこで希望曲であることの確認をコントローラー４で行なうと、その曲のコード番号２９が予約順にメモリー１に記憶される。又名前入力画面発生手段１０は、予約データに予約者の名前又は記号を入力するためのもので、コード番号２９と共に予約者名がメモリー１に記憶され、予約曲の演奏前に予約者名をディスプレイ３に表示し得るようになっている。この予約データの内、コード番号２９はカラオケ装置本体１２へ出力され、希望曲のコード番号２９をボタン操作で入力しなくても自動的に演奏されるようになっている。」（公報第２頁右下欄第１８行〜第３頁右下欄第１６行）
III【対比・判断】
　本願発明と引用例に記載された発明とを対比すると、次のことが認められる。
（１）引用例には、現有のカラオケソフトに関する曲名や歌手名あるいはコード番号等のデータを書替可能なメモリーに記憶させてあり、使用者がディスプレイの表示に従って曲名別や歌手名別等の選曲モードを指定すると共に、希望曲の選曲データとして曲名等の最初の一字以上を入力すれば、その選曲モードと選曲データとに基いてメモリーから候補曲を選出し、ディスプレイに候補曲のデータを表示し、そのディスプレイに表示された候補曲の一つを指定して希望曲であることを確認すれば、そのコ一ド番号がカラオケ装置本体に出力されて希望曲が自動的に演奏される業務用カラオケ設備の選曲装置が記載されており（引用例の上記１．〜４．の記載参照）、その実施例には、第１画面２０は第１画面発生部６から入出力制御手段９を介してディスプレイ３に、曲名別、歌手名別、デュエット曲、ポピュラー曲、軍歌が表示してあり、コントローラ４は画面に表示された多数のデータの一つを指定し、データ選出手段８では指定された選曲モード２５（第３図（ロ）においては、選曲モードとして符号２８が付されているが、これは２５の誤りと認められる。）と入力された選曲データとに基いてメモリー１の検索を行ない複数の候補曲の簡単なデータ、主として曲名２６、歌手名２７をディスプレイに検索結果画面２３として表示すること、そして希望曲が見つかりその曲をコントローラー４で指定すると、希望曲の詳細なデータ、即ち、曲名２８、歌手名２７、唄い出し２８、コード番号２９からなる希望曲データ画面２４が表示され、そこで希望曲であることの確認をコントローラー４で行なうと、カラオケ装置本体１２へ出力され、希望曲のコード番号２９をボタン操作で入力しなくても自動的に演奏されることも記載されている（引用例の上記５．の記載参照）。
　これらの記載によれば、引用例に記載の「メモリー」、「ディスプレイ」、「コントローラ」及び「業務用カラオケ設備」が、それぞれ本願発明の「記憶手段」、「表示手段」、「選択手段」及び「再生装置」に相当することは明らかである。
　また、引用例には、ディスプレイ３には、曲名別、歌手名別、デュエット曲、ポピュラー曲、軍歌などが表示され、コントローラ４は、その画面に表示されたデータの一つを指定し得ることが示されており、そのコントローラ４の各キー４ａ、４ｂが、指定のための専用のものではないとしても、本願発明でいう“上記多数の曲目情報を属性毎に分類して表示を行うように指定する属性指定手段”を兼用するものといえる。
　また、引用例には、ディスプレイ３に表示された希望曲のデータのうち、カラオケ設備１７のカラオケ装置本体１２への入力によって希望曲の演奏が行なわれるコード番号２９のデータが、希望曲の確認に伴なってカラオケ装置本体１２へ出力されることが示されており、その希望曲のデータが、ワイヤレスで出力されるのか否かはともかくとして、引用例に記載のものも、その希望曲のデータを出力する手段、すなわち、本願発明でいう“上記選択手段によって選択された曲目に対応する選曲データを、再生装置に送信する送信手段”を有するものといえる。
　さらに、引用例に記載の業務用カラオケ設備の選曲装置は、音楽情報の再生を制御していることは明らかであるから、その制御が、遠隔制御か否かはともかくとして、本願発明と同様“制御装置”といえる。
（２）以上の点を踏まえると、両発明は共に、「択一的に選択され、再生される多数の音楽情報に対応する多数の曲目情報が格納された記憶手段と、
　上記多数の曲目情報を属性毎に分類して表示を行うように指定する属性指定手段と、
　上記属性指定手段によって指定された属性に従って上記記憶手段に記憶された多数の曲目情報を分類して、上記記憶手段から読み出し表示する表示手段と、
　上記表示手段に表示された複数の曲目情報から所望の曲目を選択する選択手段と、
　上記選択手段によって選択された曲目に対応する選曲データを、再生装置に送信する送信手段とを備えた制御装置。」である点で一致し、次の点で相違する。
《相違点１》
　送信手段が、本願発明では、選曲データを「別体の」再生装置に「ワイヤレス」送信するものであるのに対して、引用例には、業務用カラオケ設備に希望曲データをワイヤ（有線）で出力することは示されているものの、業務用カラオケ設備が、別体のものか否かは明記されていない点。
《相違点２》
　本願発明は、記憶手段、属性指定手段、表示手段、選択手段及び送信手段とを「一体の筐体に収めた」、「遠隔」制御装置であるのに対して、引用例には、そのことが記載されていない点。
　そこで、上記各相違点について検討する。
　《相違点１について》
　遠隔制御装置（リモートコントロール機器）から曲タイトルなどの指令情報を、別体の音楽再生装置にワイヤレスで送信する技術は、例えば、特開平１−３０２９９５号公報、特開平１−２６１９９２号公報及び特開平１−２７８１９６号公報にも示されているように周知であり、引用例に記載の業務用カラオケ設備を「別体」として、その「別体」の業務用カラオケ設備に、選曲装置からの選曲データを、ワイヤ（有線）で送信する代わりに、「ワイヤレス」で送信する程度のことは当業者が適宜になし得ることといえる。
　《相違点２について》
　表示手段、送信手段などを一体の筐体に収めた音楽再生装置用の遠隔制御装置（リモートコントロール機器）は、例えば、上記相違点１についての検討で掲げた公報にも示されているように周知であり、引用例に記載の選曲装置を、メモリー、ディスプレイ、コントローラ、出力する手段（送信手段）とを、「一体の筐体に収めた」、「遠隔」制御装置となす程度のことは当業者が設計上適宜になし得ることといえる。
　そして、本願発明の効果についてみても、格別顕著なものがあるとはいえない。
　なお、本願発明の「属性指定手段」が、実施例に記載のような属性指定専用の操作部に特定されたとしても、カラオケ装置において、属性指定専用の操作部を設けることが、例えば、特開昭６１−７７１８４号公報にも示されているように周知であり、その点も当業者が適宜になし得ることといえる。
IV【むすび】
　したがって、本願発明は、引用例に記載された発明に基づいて当業者が容易に発明をすることができたものであるから、特許法第２９条第２項の規定により特許を受けることができない。
　よって、結論のとおり審決する。